(57)【要約】【課題】各活物質層が対向している対向領域に固定テープから局所的な荷重が付与されることを抑制することができる蓄電装置を提供する。【解決手段】二次電池は、電極組立体１２を収容するケースを備えている。電極組立体１２の積層方向の端面１２ａ，１２ｂは、積層方向から見て、正極電極の正極活物質層と負極電極の負極活物質層とが対向する対向領域３０が投影される対向部３１を備えている。対向部３１上には、正極電極、負極電極、及びセパレータを固定するための固定テープ４５と、スペーサ５０とが互いに重ならずに配置されている。スペーサ５０の厚みは、固定テープ４５の厚み以上である。【選択図】図４
2015146252.tif 000002
【特許請求の範囲】
【請求項１】
正極活物質層を備える正極電極と、負極活物質層を備える負極電極とがセパレータを間に挟んだ状態で積層されて構成された電極組立体と、
当該電極組立体を収容するケースと、を備えた蓄電装置であって、
前記電極組立体の積層方向の端面は、前記積層方向から見て、前記正極活物質層及び前記負極活物質層が対向する対向領域が投影される対向部を備え、
前記対向部上には、前記正極電極、前記負極電極、及び前記セパレータを固定するための固定テープと、スペーサとが互いに重ならずに配置されており、
前記スペーサの厚みは、前記固定テープの厚み以上であることを特徴とする蓄電装置。
【請求項２】
正極活物質層を備える正極電極と、負極活物質層を備える負極電極とがセパレータを間に挟んだ状態で積層されて構成された電極組立体と、
当該電極組立体を収容するケースと、を備えた蓄電装置であって、
前記電極組立体の積層方向の端面は、前記ケースから荷重が付与される付与部を備え、
前記付与部上には、前記正極電極、前記負極電極、及び前記セパレータを固定するための固定テープと、スペーサとが互いに重ならずに配置されており、
前記スペーサの厚みは、前記固定テープの厚み以上であることを特徴とする蓄電装置。
【請求項３】
前記スペーサが、前記電極組立体と前記ケースの内面との間の間隙を調整する厚み調整フィルムとして機能する請求項１又は請求項２に記載の蓄電装置。
【請求項４】
前記スペーサは対称構造である請求項１〜請求項３のうちいずれか一項に記載の蓄電装置。
【請求項５】
前記スペーサは樹脂フィルムである請求項１〜請求項４のうちいずれか一項に記載の蓄電装置。
【請求項６】
前記固定テープと重ならない前記スペーサを第１スペーサとし、
前記電極組立体と前記固定テープ及び前記第１スペーサとの間に第２スペーサが位置している請求項１〜請求項５のうちいずれか一項に記載の蓄電装置。
【請求項７】
前記蓄電装置は、二次電池である請求項１〜請求項６のうちいずれか一項に記載の蓄電装置。
【発明の詳細な説明】
【技術分野】
【０００１】
本発明は、ケースに電極組立体が収容された蓄電装置に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。二次電池は、例えば両面に正極活物質層を有する正極電極及び両面に負極活物質層を有する負極電極がセパレータを間に挟んだ状態で積層された電極組立体と、当該電極組立体を収容するケースとを備えている。また、特許文献１には、電極組立体を構成する各電極及びセパレータを固定するべく固定テープを貼り付けた構成が記載されている。
【先行技術文献】
【特許文献】
【０００３】
【特許文献１】特開平０７−２２０７５３号公報
【発明の概要】
【発明が解決しようとする課題】
【０００４】
ここで、各電極の密着性向上及び位置ずれ抑制の観点から、各活物質層が対向している対向領域に対して各電極の積層方向から荷重（押圧力）を付与する場合がある。また、電極組立体が充放電に伴って膨張する場合、ケースから対向領域に対して荷重が付与される場合がある。さらに、複数の蓄電装置を積層方向に重ねて、それぞれを直列に接続することで組電池を形成した場合には、当該各蓄電装置に積層方向から拘束荷重が付与される場合がある。これらの場合、電極組立体とケースの内面との間に介在している固定テープに荷重が集中することにより、電気伝導に係るイオンの析出物が発生するおそれがある。
【０００５】
この発明は、このような従来の技術に存在する問題点に着目してなされたものであり、その目的は、各活物質層が対向している対向領域に固定テープから局所的な荷重が付与されることを抑制することができる蓄電装置を提供することにある。
【課題を解決するための手段】
【０００６】
以下、上記目的を達成するための手段及びその作用効果について記載する。
上記課題を解決する蓄電装置は、正極活物質層を備える正極電極と、負極活物質層を備える負極電極とがセパレータを間に挟んだ状態で積層されて構成された電極組立体と、当該電極組立体を収容するケースと、を備えている。電極組立体の積層方向の端面は、積層方向から見て、正極活物質層及び負極活物質層が対向する対向領域が投影される対向部を備えている。対向部上には、正極電極、負極電極、及びセパレータを固定するための固定テープと、スペーサとが互いに重ならずに配置されており、スペーサの厚みは、固定テープの厚み以上である。
【０００７】
また、上記課題を解決する蓄電装置は、正極活物質層を備える正極電極と、負極活物質層を備える負極電極とがセパレータを間に挟んだ状態で積層されて構成された電極組立体と、当該電極組立体を収容するケースと、を備えている。電極組立体の積層方向の端面は、ケースから荷重が付与される付与部を備えている。付与部上には、正極電極、負極電極、及びセパレータを固定するための固定テープと、スペーサとが互いに重ならずに配置されており、スペーサの厚みは、固定テープの厚み以上である。
【０００８】
上記の各構成によれば、電極組立体の積層方向の端面のうち、正極活物質層及び負極活物質層が対向する対向領域が投影される対向部上、すなわちケースから荷重が付与される付与部上には、固定テープとスペーサとが互いに重ならずに配置される。このため、対向領域に対して付与され得る荷重を、固定テープとスペーサとに分散させることができる。さらには、上記構成では、スペーサの厚みを固定テープの厚み以上とすることにより、電極組立体の積層方向において、固定テープとスペーサとのいずれも突出しない形態か、もしくは固定テープよりもスペーサが突出した形態となる。このため、ケースから付与された荷重が、スペーサよりも固定テープに優先的に付与されることを抑制することができ、対向領域に固定テープから局所的な荷重が付与されることを抑制することができる。
【０００９】
スペーサは、例えば電極組立体とケースの内面との間の間隙を調整する厚み調整フィルムとして機能するものが好ましい。
上記構成によれば、スペーサを厚み調整フィルムとして利用することができるため、電極組立体とケース内面との間の間隙をスペーサによって埋めることができる。
【００１０】
スペーサは、例えば対称構造であるものが好ましい。
仮にスペーサが非対称構造である場合では、スペーサに荷重が付与される際に、スペーサを介して対向領域に付与される荷重がその対向領域内で位置によってむらの大きいものとなるため、蓄電装置における電池反応のむらが生じるおそれがある。上記構成によれば、スペーサを対称構造とすることにより、こうした荷重のむらが生じることを抑制することができるため、蓄電装置における電池反応のむらが生じることを抑制することができる。
【００１１】
スペーサは、例えば樹脂フィルムであることが好ましい。
上記構成によれば、スペーサの配置により電極組立体を絶縁させて電極組立体とケースとの短絡を抑制することができる。
【００１２】
固定テープと重ならないスペーサを第１スペーサとしたときに、電極組立体と固定テープ及び第１スペーサとの間に第２スペーサを位置させることが好ましい。
上記構成によれば、ケースから固定テープに付与された荷重が第２スペーサを介して対向領域に付与されるため、対向領域に固定テープから局所的な荷重が付与されることをさらに抑制することができる。
【００１３】
上記蓄電装置において、前記蓄電装置の好適な例としては、二次電池を挙げることができる。
【発明の効果】
【００１４】
本発明によれば、各活物質層が対向している対向領域に固定テープから局所的な荷重が付与されることを抑制することができる。
【図面の簡単な説明】
【００１５】
【図１】二次電池の分解斜視図。
【図２】電極組立体の分解斜視図。
【図３】二次電池を積層方向に切断した場合の断面図。
【図４】電極組立体及びスペーサの分解斜視図。
【発明を実施するための形態】
【００１６】
以下、蓄電装置を具体化した一実施形態を図１〜図４にしたがって説明する。
図１に示すように、蓄電装置としての二次電池１０は、ケース１１に電極組立体１２が収容されている。また、ケース１１には、電極組立体１２とともに電解液も収容されている。ケース１１は、有底筒状のケース本体１３と、ケース本体１３に電極組立体１２を挿入する開口部を閉塞する平板状の蓋体１４とからなる。ケース本体１３と蓋体１４は、何れも金属製（例えば、ステンレス製やアルミニウム製）である。また、この実施形態の二次電池１０は、ケース本体１３が有底四角筒状であり、蓋体１４が矩形平板状であることから、その外観が角型をなす角型電池である。また、この実施形態の二次電池１０は、リチウムイオン電池である。
【００１７】
図２に示すように、電極組立体１２は、複数の正極電極２１と負極電極２５とがセパレータ２９を間に挟んだ状態で交互に積層されて構成されている。各電極２１，２５及びセパレータ２９はそれぞれ矩形状である。また、正極電極２１は負極電極２５よりも一回り小さい形状である。具体的には、正極電極２１の各辺の長さが、負極電極２５の各辺の長さよりも短く設定されている。セパレータ２９は、負極電極２５よりも一回り大きい形状である。具体的には、セパレータ２９の各辺の長さが、負極電極２５の各辺の長さよりも長く設定されている。
【００１８】
正極電極２１は、矩形状の正極金属箔（例えばアルミニウム箔）２２と、正極金属箔２２の両面に正極活物質を有する正極活物質層２３とから構成されている。正極活物質層２３は、正極電極２１のうち正極電極２１の一辺２１ｃに沿った一部の領域以外の領域全体に位置している。また、正極電極２１は、正極電極２１の一辺２１ｃの一部から突出する正極タブ２４を有する。
【００１９】
負極電極２５は、矩形状の負極金属箔（例えば銅箔）２６と、負極金属箔２６の両面に負極活物質を有する負極活物質層２７とから構成されている。負極金属箔２６は、正極金属箔２２よりも一回り大きい形状である。負極活物質層２７は、負極電極２５のうち負極電極２５の一辺２５ｃに沿った一部の領域以外の領域全体に位置しており、正極活物質層２３よりも大きい領域に位置している。また、負極電極２５は、負極電極２５の一辺２５ｃの一部から突出する負極タブ２８を有する。
【００２０】
各電極２１，２５は、各タブ２４，２８の同一極性同士が積層方向に列状に配置される一方、異なる極性同士が積層方向に重ならないように積層されている。各電極２１，２５とセパレータ２９とが積層された状態において、正極活物質層２３と負極活物質層２７とがセパレータ２９を介して対向している。詳細には、正極活物質層２３は、その全体がセパレータ２９を介して負極活物質層２７に覆われている。この各活物質層２３，２７が対向している領域を以下では対向領域３０と称する。
【００２１】
なお、正極活物質層２３の全体が負極活物質層２７に覆われている関係上、対向領域３０の大きさは正極活物質層２３の大きさと一致している。すなわち、正極活物質層２３が対向領域３０の大きさを規定している。
【００２２】
ここで、図３に示すように、電極組立体１２の積層方向の両端面１２ａ，１２ｂのうち一方の端面１２ａは、積層方向から見て対向領域３０が投影される一方の対向部３１を備えている。同様に、図３に示すように、電極組立体１２の積層方向の両端面１２ａ，１２ｂのうち上記一方の端面１２ａと対向する他方の端面１２ｂは、積層方向から見て対向領域３０が投影される他方の対向部３２を備えている。各対向部３１，３２は平坦であり、互いに対向している。また、各対向部３１，３２の大きさは、正極活物質層２３の大きさと一致する。
【００２３】
図１に示すように、二次電池１０では、各正極タブ２４が電極組立体１２における積層方向の一端から他端までの範囲内で集められた状態で折り曲げられている。そして、その各正極タブ２４が重なっている箇所を溶接することによって、各正極タブ２４が互いに電気的に接続されている。また、負極タブ２８も同様に、集められた状態で折り曲げられ、その重なった箇所が溶接されることにより互いに電気的に接続されている。
【００２４】
二次電池１０は、各正極タブ２４と電気的に接続された正極端子１５と、各負極タブ２８に電気的に接続された負極端子１６とを備えている。各端子１５，１６は、蓋体１４に形成された貫通孔を介してその一部がケース１１外に露出している。
【００２５】
図３及び図４に示すように、電極組立体１２の積層方向の両端面１２ａ，１２ｂは、スペーサ４０で覆われている。スペーサ４０は矩形状の樹脂フィルムである。また、スペーサ４０は、セパレータ２９と同程度の大きさを有し、電極組立体１２の積層方向の両端面１２ａ，１２ｂの全体を覆っている。
【００２６】
図４に示すように、電極組立体１２には複数の（本実施形態では６つの）固定テープ４５が貼り付けられている。詳細には、電極組立体１２のうち、側面１２ｃ，１２ｄ，１２ｅ，１２ｆでは直接固定テープ４５が貼り付けられ、端面１２ａ，１２ｂではスペーサ４０を介して固定テープ４５が貼り付けられている。すなわち、電極組立体１２の端面１２ａ，１２ｂと固定テープ４５との間にスペーサ４０が位置している。こうして固定テープ４５が貼り付けられる貼付領域Ｓが電極組立体１２及びスペーサ４０に複数形成されることにより、各電極２１，２５及びセパレータ２９が固定される。
【００２７】
各貼付領域Ｓ及び各固定テープ４５について以下に詳細に説明する。
各固定テープ４５は、長方形状であり、ベース層４５ａと、ベース層４５ａの片面に積層された接着層４５ｂとから構成されている。また、各固定テープ４５は、電極組立体１２における積層方向の両端面１２ａ，１２ｂに跨って貼り付けられている。詳細には、図４に示すように、所定の固定テープ４５は、電極組立体１２の積層方向の両端面１２ａ，１２ｂに直交する側面１２ｃ，１２ｄ，１２ｅ，１２ｆを介して（跨いで）、電極組立体１２の積層方向の両端面１２ａ，１２ｂを覆うスペーサ４０に対して貼り付けられている。これにより、各電極２１，２５及びセパレータ２９の位置ずれが規制されている。なお、固定テープ４５の一部は各対向部３１，３２に重なっており、電極組立体１２がケース１１に挿入された状態では、固定テープ４５の一部（貼付領域Ｓの一部）が各対向部３１，３２とケース１１の内面との間に介在している。
【００２８】
電極組立体１２とケース１１のケース本体１３の内面との間には、スペーサ５０が設けられている。スペーサ５０は樹脂フィルムであり、電極組立体１２の両端面１２ａ，１２ｂをそれぞれ覆っている。スペーサ５０は、各固定テープ４５の位置に対応した位置に切欠部５１を複数有する。各切欠部５１は、固定テープ４５に沿って切り欠いた形状をなしており、固定テープ４５よりも一回り大きい。そして、電極組立体１２の両端面１２ａ，１２ｂを覆うようにスペーサ５０を取り付けた場合に、各切欠部５１内に各固定テープ４５がそれぞれ配置されるように、各固定テープ４５とスペーサ５０の各切欠部５１との相対位置が設定されている。これにより、各対向部３１，３２上では、スペーサ５０と固定テープ４５とが互いに重なることなく配置されている。
【００２９】
また、スペーサ５０は対称構造である。詳細には、スペーサ５０は、その上下方向、すなわち電極組立体１２の側面１２ｃ，１２ｅと直交する方向で対称であり、その左右方向、すなわち電極組立体１２の側面１２ｄ，１２ｆと直交する方向で対称である。
【００３０】
スペーサ５０は、各対向部３１，３２のうち固定テープ４５以外の領域を覆うように配置されている。すなわち、対向部３１において、スペーサ５０の面積は、貼付領域Ｓの面積よりも大きい。対向部３１を覆う被覆面積は、スペーサ５０の方が固定テープ４５よりも大きい。また、対向部３２においても同様に、対向部３１を覆う被覆面積は、スペーサ５０の方が固定テープ４５よりも大きい。
【００３１】
また、図３に示すように、スペーサ５０の厚みは固定テープ４５の厚みよりも大きい。すなわち、電極組立体１２がケース１１に挿入される前の状態では、スペーサ５０が固定テープ４５よりも電極組立体１２の積層方向に突出している。
【００３２】
なお、スペーサ４０及びスペーサ５０は、電極組立体１２の両端面１２ａ，１２ｂとケース１１のケース本体１３の内面との間の間隙を調整する厚み調整フィルムとして機能する。すなわち、電極組立体１２の両端面１２ａ，１２ｂとケース本体１３の内面との間の間隙に応じて、スペーサ４０及びスペーサ５０が適当な枚数配置されている。本実施形態では、電極組立体１２の両端面１２ａ，１２ｂとケース本体１３の内面との間の間隙が比較的小さいため、スペーサ４０及びスペーサ５０を１枚ずつ配置させている。また、電極組立体１２の両端面１２ａ，１２ｂとケース本体１３の内面との間の間隙が比較的大きい場合では、スペーサ４０及びスペーサ５０を複数枚ずつ配置させる等、スペーサ４０及びスペーサ５０の配置枚数を適宜変更しても良い。そして、電極組立体１２の両端面１２ａ，１２ｂとケース１１のケース本体１３の内面との間にスペーサ４０及びスペーサ５０が配置された状態において、配置されたスペーサ５０全体の厚みが固定テープ４５の厚みよりも大きい。また、スペーサ５０が第１スペーサに相当し、スペーサ４０が第２スペーサに相当する。
【００３３】
固定テープ４５及びスペーサ５０が取り付けられた状態の電極組立体１２の積層方向の長さは、ケース１１の内面の対応する長さと同一又はそれよりも若干大きく設定されている。これにより、ケース１１に電極組立体１２が収容されている状態において、各対向部３１，３２はケース１１のケース本体１３から荷重が付与される付与部として機能して、その積層方向に荷重が付与されている。また、こうして各対向部３１，３２に荷重が付与されることにより、対向領域３０が二次電池１０の電池反応に寄与する活物質層２３，２７として機能する。
【００３４】
なお、図４に示すように、切欠部５１が固定テープ４５よりも一回り大きいため、固定テープ４５とスペーサ５０との間には所定の隙間が形成されている。当該隙間は、電極組立体１２とケース１１との短絡を抑制することができる範囲内で設定されている。
【００３５】
また、図３に示すように、電極組立体１２とケース１１の内面との間には、電極組立体１２とケース１１との短絡を規制する絶縁シート５５が設けられている。すなわち、絶縁シート５５は、電極組立体１２の積層方向において、固定テープ４５及びスペーサ４０とケース１１のケース本体１３の内面との間に位置している。また、絶縁シート５５は、電極組立体１２の積層方向に直交する方向において、電極組立体１２の側面１２ｄ，１２ｅ，１２ｆとケース１１のケース本体１３の内面との間に位置している。さらに、電極組立体１２の側面１２ｃと蓋体１４の内面との間に絶縁シート５５を位置させても良い。
【００３６】
次に、本実施形態の作用について説明する。
各対向部３１，３２上には、固定テープ４５及びスペーサ５０が配置されている。そして、これら固定テープ４５とスペーサ５０とは互いに重なることなく配置されている。このため、各対向部３１，３２に対してケース１１から積層方向の荷重が付与された場合には、その荷重が固定テープ４５及びスペーサ５０に分散される。
【００３７】
スペーサ５０の厚みは、固定テープ４５の厚みよりも大きく設定されているため、各対向部３１，３２上では、スペーサ５０が固定テープ４５よりも積層方向に突出した形態となっている。このため、各対向部３１，３２に対してケース１１から荷重が付与されると、その荷重が固定テープ４５よりもスペーサ５０に優先的に付与されることとなる。スペーサ５０は、各対向部３１，３２のうち固定テープ４５以外の領域を覆っている。このため、スペーサ５０はその荷重を受ける面積が最大限確保されているため、スペーサ５０に付与された荷重を好適に分散させることができる。
【００３８】
電極組立体１２と固定テープ４５との間にスペーサ４０が位置しているため、ケース１１から固定テープ４５に付与された荷重が、スペーサ４０を介して各対向部３１，３２に付与される。スペーサ４０は、対向部３１，３２よりも大きい形状であるため、その荷重を受ける面積が最大限確保されている。このため、スペーサ４０に付与された荷重を好適に分散させることができる。
【００３９】
なお、固定テープ４５の接着層４５ｂは、電解液や、電極組立体１２の充放電が繰り返し行われることに起因する発熱等によって劣化し、接着性能が低下するおそれがある。このため、固定テープ４５は、その固定機能が低下又は消失する場合がある。この場合であっても、電極組立体１２に対して適度な荷重が付与されているため、各電極２１，２５及びセパレータ２９の位置ずれが発生しにくい。なお、固定テープ４５としては、劣化等によって、正極電極２１、負極電極２５及びセパレータ２９を固定している固定状態から、その固定が解除された非固定状態に移行したものが含まれる。
【００４０】
したがって、本実施形態によれば、以下に示す効果を得ることができる。
（１）対向部３１，３２上には、固定テープ４５とスペーサ５０とが互いに重ならずに配置される。また、スペーサ５０の厚みが固定テープ４５の厚みよりも大きい。このため、ケース１１から付与された荷重が、スペーサ５０よりも固定テープ４５に優先的に付与されることを抑制することができ、対向領域３０に固定テープ４５から局所的な荷重が付与されることを抑制することができる。
【００４１】
（２）スペーサ４０，５０を厚み調整フィルムとして利用することができるため、電極組立体１２とケース１１の内面との間の間隙をスペーサ４０，５０によって埋めることができる。
【００４２】
（３）仮にスペーサ５０が非対称構造である場合では、スペーサ５０に荷重が付与される際に、スペーサ５０を介して各対向部３１，３２に付与される荷重がその対向部３１，３２内で位置によってむらの大きいものとなるため、二次電池１０における電池反応のむらが生じるおそれがある。本実施形態によれば、スペーサ５０を対称構造とすることにより、こうした荷重のむらが生じることを抑制することができるため、二次電池１０における電池反応のむらが生じることを抑制することができる。
【００４３】
（４）スペーサ４０，５０が樹脂フィルムであるため、スペーサ４０．５０の配置により電極組立体１２を絶縁させて電極組立体１２とケース１１との短絡を抑制することができる。
【００４４】
（５）ケース１１から固定テープ４５に付与された荷重がスペーサ４０を介して各対向部３１，３２に付与されるため、対向領域３０に固定テープ４５から局所的な荷重が付与されることをさらに抑制することができる。
【００４５】
なお、上記の実施形態は以下のように変更してもよい。
○  スペーサ５０の厚みを固定テープ４５の厚みと同じ厚みとしても良い。こうした形態では、ケース１１から各対向部３１，３２に荷重が付与される際に、固定テープ４５よりもスペーサ５０に優先的に荷重が付与されることはないものの、これら固定テープ４５とスペーサ５０とで荷重を分散させることができるため、固定テープ４５に荷重が優先的に付与されることは抑制することができる。なお、製造誤差等により、スペーサ５０の厚みと固定テープ４５の厚みとに若干の差が生じる場合でも、固定テープ４５とスペーサ５０とで荷重を分散させることができ、同様の効果を得ることができる。
【００４６】
○  スペーサ４０，５０のいずれか一方を厚み調整フィルムとして利用してもよい。例えば、スペーサ４０のみを厚み調整フィルとして利用する場合では、電極組立体１２の両端面１２ａ，１２ｂとケース１１のケース本体１３の内面との間隙の大きさに応じて、スペーサ４０の配置枚数を調整する。また、スペーサ５０のみを厚み調整フィルとして利用する場合では、電極組立体１２の両端面１２ａ，１２ｂとケース１１のケース本体１３の内面との間隙の大きさに応じて、スペーサ４０の配置枚数を調整する。なお、スペーサ５０のみを厚み調整フィルムとして利用する場合では、配置される枚数全体のスペーサ５０の厚みが固定テープ４５の厚み以上となるようにその枚数を調整する。
【００４７】
○  スペーサ４０，５０の両方とも厚み調整フィルムとして利用しなくとも良い。この形態では、別途厚み調整フィルムを用意し、電極組立体１２の両端面１２ａ，１２ｂとケース１１のケース本体１３の内面との間隙の大きさに応じて、この間隙に厚み調整フィルムを配置させる。
【００４８】
○  スペーサ４０，５０のいずれか一方、もしくはスペーサ４０，５０の両方が樹脂フィルムでなくても良い。この形態のスペーサ４０，５０としては、金属板や活物質層２３，２７を有しない金属箔２２，２６等、電極２１，２５として機能しないものであれば自由に採用可能である。
【００４９】
○  スペーサ５０は非対称構造であっても良い。ただし、上記の荷重のむらを最低限とするためには、その対称構造に近い形状とすることが望ましい。
○  スペーサ５０は、各対向部３１，３２の固定テープ４５（貼付領域Ｓ）以外の領域のうち、一部を覆うものであっても良い。
【００５０】
○  スペーサ４０の大きさは、スペーサ４０が電極組立体１２と固定テープ４５及びスペーサ５０との間に位置する部分を有する範囲内であれば、自由に設定可能である。
○  スペーサ４０を省略しても良い。この形態では、固定テープ４５が電極組立体１２の両端面１２ａ，１２ｂに貼り付けられ、スペーサ５０が電極組立体１２の両端面１２ａ，１２ｂに面することとなる。
【００５１】
○  電極組立体１２に配置される固定テープ４５の数及び位置は自由に設定可能である。ただしこの形態では、電極組立体１２に配置される固定テープ４５の数や位置の変更に応じて、固定テープ４５とスペーサ５０とが重ならないようにスペーサ５０の形状及び配置位置も変更する。
【００５２】
○  負極電極２５とセパレータ２９とを同一の大きさとしても良い。
○  正極電極２１と負極電極２５とを同一の大きさとする等、正極活物質層２３と負極活物質層２７とを同一の大きさの領域としても良い。
【００５３】
○  各電極２１，２５及びセパレータ２９はそれぞれ長方形状であったが、これに限らず、正方形状であってもよい。また、矩形状に限らず、他の形状（例えば多角形状又は楕円形状等）であっても良い。
【００５４】
○  電極組立体１２は、積層型に限らず、帯状の正極電極と帯状の負極電極を捲回して層状に積層した捲回型でもよい。こうした形態では、電極組立体の対向領域のうち、電極組立体の最外面とケース１１とが接触することによりケース１１から荷重が付与される部分が付与部として機能することとなる。そして、こうした付与部上に固定テープ４５とスペーサ５０とを互いに重ならないように配置させ、スペーサ５０の厚みを固定テープ４５の厚み以上に設定すれば、上記実施形態と同様の効果を得ることができる。
【００５５】
○  ケース１１の形状を変更してもよい。例えば、ケース１１は円筒型でもよい。
○  二次電池１０は、リチウムイオン二次電池であったが、これに限らず、他の二次電池であってもよい。要するに、正極活物質層と負極活物質層との間をイオンが移動するとともに電荷の授受を行うものであればよい。また、蓄電装置としてキャパシタでもよい。
【００５６】
○  二次電池１０は、車両電源装置として自動車に搭載してもよいし、産業用車両に搭載しても良い。また、定置用の蓄電装置に適用してもよい。
【符号の説明】
【００５７】
１０…二次電池、１１…ケース、１２…電極組立体、１２ａ，１２ｂ…端面、１２ｃ，１２ｄ，１２ｅ，１２ｆ…側面、１３…ケース本体、１４…蓋体、２１…正極電極、２２…正極金属箔、２３…正極活物質層、２５…負極電極、２６…負極金属箔、２７…負極活物質層、２９…セパレータ、３０…対向領域、３１，３２…対向部、４０，５０…スペーサ、４５…固定テープ、５１…切欠部。
【図１】
2015146252.tif 000003
【図２】
2015146252.tif 000004
【図３】
2015146252.tif 000005
【図４】
2015146252.tif 000006